(57)【要約】【課題】簡単な作業で二列以上に並べたコンベア要素を結合プレートによって予定した間隔に保持することを可能とし、かつ、ローラコンベアの解体に際してもコンベア要素と結合プレートとを簡単に分離可能とする。【解決手段】フリーローラ形式のコンベア要素を所定の床上に二列以上配置し、その上に搬送物を載せて搬送するローラコンベアであって、各コンベア要素１０のフレーム１２に開けられた複数個の結合孔１６，１７と、外側に配置される両コンベア要素の間隔以上の長さを有する結合プレート３０と、この結合プレートに固定された複数個の結合ピン３２とを備えている。そして、二枚以上の結合プレートをコンベア要素と直交する向きで床上に配置し、これらの結合プレート上に各コンベア要素を並べて載せることにより、結合プレートの各結合ピンが各コンベア要素におけるフレームの各結合孔に挿入されて各コンベア要素が所定の間隔で保持される。【選択図】図１
2007119211.tif 000002
【特許請求の範囲】
【請求項１】
フリーローラ形式のコンベア要素を所定の床上に二列以上配置し、その上に搬送物を載せて搬送するローラコンベアであって、
各コンベア要素のフレームに開けられた複数個の結合孔と、外側に配置される両コンベア要素の間隔以上の長さを有する結合プレートと、この結合プレートに固定された複数個の結合ピンとを備え、二枚以上の結合プレートをコンベア要素と直交する向きで床上に配置し、これらの結合プレート上に各コンベア要素を並べて載せることにより、結合プレートの各結合ピンが各コンベア要素におけるフレームの各結合孔に挿入されて各コンベア要素が所定の間隔で保持されるように構成されたローラコンベア。
【請求項２】
請求項１に記載されたローラコンベアであって、
二本のコンベア要素の端部同士を突き合わせた状態において、個々のコンベア要素におけるフレームの結合孔にそれぞれ挿入される複数個の結合ピンを備えた継ぎ手プレートを備え、この継ぎ手プレート上にコンベア要素の端部同士を突き合わせた状態で載せることにより、継ぎ手プレートの各結合ピンが個々のコンベア要素におけるフレームの結合孔にそれぞれ挿入されてコンベア要素が長さ方向に継ぎ足された状態で保持されるように構成されたローラコンベア。
【請求項３】
請求項２に記載されたローラコンベアであって、
二列以上に配置される各コンベア要素を個々の長さ方向に継ぎ足すための各継ぎ手プレートがコンベアの幅方向に関して互いに連結されているローラコンベア。
【発明の詳細な説明】
【技術分野】
【０００１】
本発明は、フリーローラ形式のコンベア要素を二列以上配置し、その上に搬送物を載せて搬送するローラコンベアに関する。
【背景技術】
【０００２】
大量の荷物の搬入あるいは搬出を行う場合、その工場内の床上にローラコンベアを設置して荷物（搬送物）を搬送している。ローラコンベアの設置は、平行な一対のフレーム間に多数のローラが組み込まれたフリーローラ形式のコンベア要素を、例えば二列に並べた状態で結合プレートによって連結している。この連結手段は、コンベアの長さ方向に関する複数箇所において両コンベア要素におけるフレームの接地面側（コンベア使用時の裏側）と結合プレート（鉄板）の端部とを溶接によって固定している。なお、両コンベア要素のフレームと結合プレートとの連結手段としてボルト・ナットを用いることも考えられる。しかしボルト・ナットによる連結手段は、コンベア要素の接地面側にボルトヘッドやナットが部分的に突出してコンベアの設置状態が不安定とるため、床上に設置されるベルトコンベアには採用されていない。
なお、ローラコンベアの一般的な技術は特許文献１に開示されている。
【特許文献１】実願平０３−０５６５０１号公報
【発明の開示】
【発明が解決しようとする課題】
【０００３】
二列に並べたコンベア要素のフレームと結合プレートとを溶接によって連結するには多くの手間と時間を要することから作業性がわるく、溶接設備も必要である。また搬送物のサイズに合わせて二列のコンベア要素の間隔を変更する場合やローラコンベアを撤去あるいは解体する場合は、溶接を削り取ってコンベア要素と結合プレートとを分離しなければならない。そして少なくともコンベア要素のフレーム側は、再使用のために溶接跡を仕上げておく必要もある。
【０００４】
本発明は、このような課題を解決しようとするもので、その目的は、簡単な作業で二列以上に並べたコンベア要素を結合プレートによって予定した間隔に保持することを可能とし、かつ、ローラコンベアの解体に際してもコンベア要素と結合プレートとを簡単に分離可能とすることである。
【課題を解決するための手段】
【０００５】
本発明は、上記の目的を達成するためのもので、以下のように構成されている。
請求項１に記載の発明は、フリーローラ形式のコンベア要素を所定の床上に二列以上配置し、その上に搬送物を載せて搬送するローラコンベアであって、各コンベア要素のフレームに開けられた複数個の結合孔と、外側に配置される両コンベア要素の間隔以上の長さを有する結合プレートと、この結合プレートに固定された複数個の結合ピンとを備えている。そして、二枚以上の結合プレートをコンベア要素と直交する向きで床上に配置し、これらの結合プレート上に各コンベア要素を並べて載せることにより、結合プレートの各結合ピンが各コンベア要素におけるフレームの各結合孔に挿入されて各コンベア要素が所定の間隔で保持されるように構成されている。
【０００６】
この構成によれば、二列以上に配置される各コンベア要素を結合プレート上に載せるだけで、結合プレートの結合ピンが各コンベア要素におけるフレームの結合孔に挿入され、個々のコンベア要素を予定した間隔に保持することができる。したがって各コンベア要素の間隔を搬送物のサイズに合わせて変更する場合などにおいて、その作業に工具などを使用することなく、簡単に対応することができる。またローラコンベアの解体に際しては各コンベア要素と各結合プレートとを簡単に分離できることから、これらの移動や再設置が容易となり、かつ、分別収納が可能となって管理も簡単となる。
【０００７】
請求項２に記載の発明は、請求項１に記載されたローラコンベアであって、二本のコンベア要素の端部同士を突き合わせた状態において、個々のコンベア要素におけるフレームの結合孔にそれぞれ挿入される複数個の結合ピンを備えた継ぎ手プレートを備えている。この継ぎ手プレート上にコンベア要素の端部同士を突き合わせた状態で載せることにより、継ぎ手プレートの各結合ピンが個々のコンベア要素におけるフレームの結合孔にそれぞれ挿入されてコンベア要素が長さ方向に継ぎ足された状態で保持されるように構成されている。
【０００８】
この構成により、ローラコンベアの搬送距離を延長する場合にコンベア要素の端部同士を突き合わせて簡単に接続することができる。
【０００９】
請求項３に記載の発明は、請求項２に記載されたローラコンベアであって、二列以上に配置される各コンベア要素を個々の長さ方向に継ぎ足すための各継ぎ手プレートがコンベアの幅方向に関して互いに連結されている。
【００１０】
これにより、継ぎ手プレートが二列以上に配置される各コンベア要素の間隔を保持する結合プレートを兼用することとなり、部品数を削減できる。
【発明を実施するための最良の形態】
【００１１】
以下、本発明を実施するための最良の形態を、図面を用いて説明する。
図１はローラコンベアを分解状態で表した斜視図である。この実施の形態におけるローラコンベアは、二列に配置される一対のコンベア要素１０と、これらを所定の間隔で保持する二枚の結合プレート３０とによって構成される。両コンベア要素１０は、平行なフレーム１２の間に多数のローラ１４が組み込まれたフリーローラ形式で、個々のローラ１４の両端部が両フレーム１２に回転自在に支持されている。そして両フレーム１２の両端部における接地側（下側）のフランジ１３には結合孔１６，１７が開けられている。
【００１２】
二枚の結合プレート３０は金属製であって、個々の長さは搬送物のサイズによって決定される両コンベア要素１０の間隔以上の寸法に設定されている。両結合プレート３０の上面には、両コンベア要素１０の各結合孔１６，１７と対応する位置において個々に4個の結合ピン３２が固定されている。これらの各結合ピン３２の外径は各結合孔１６，１７の内径よりも小さめに設定され、かつ、各結合ピン３２の先端部はテーパ状に面取り加工されている。また両結合プレート３０のうち、ローラコンベアの搬出側に配置される結合プレート３０の上面には二個のストッパー３４が固定されている。なお結合プレート３０は搬送物の各種サイズに合わせて数種類の長さのものが用意されている。
【００１３】
図２は結合プレート３０に対する結合ピン３２の固定構造を表した拡大断面図である。この図面で示すように結合プレート３０には、上下に貫通したネジ孔３１が設けられている。一方、結合ピン３２は少なくとも基部側の外周に雄ネジを有する。この結合ピン３２の基部をネジ孔３１にねじ込み、結合ピン３２の基部端面が結合プレート３０の下面に達する手前で止めることにより、ネジ孔３１内に空間を残す。この空間に溶接によるビード３５を充填して結合プレート３０と結合ピン３２とを固定するとともに、結合プレート３０の下面側に出たビード３５の余分な部分を切削して平坦に仕上げる。この固定手段によれば、結合プレート３０における各結合ピン３２の周辺部は、その上下面共に平坦な状態となる。
【００１４】
図３はローラコンベアの設置準備状態を表した平面図、図４はローラコンベアの設置完了状態を表した平面図である。ローラコンベアの設置にあたっては、二枚の結合プレート３０をコンベア要素１０の両端部間の距離に対応する間隔で床上に配置する（図３）。つぎに一対のコンベア要素１０を両結合プレート３０の上に平行に並べて載せ、両コンベア要素１０におけるフレーム１２の両端部に開けられている結合孔１６，１７に両結合プレート３０の各結合ピン３２をそれぞれ挿入させる。これにより、一対のコンベア要素１０が予定どおりの間隔で平行に保持されてローラコンベアの設置が完了する（図４）。そして両結合プレート３０の上下面は部分的な突起などがなく共に平坦であるので、床面に対するローラコンベアの設置状態が安定している。
【００１５】
ローラコンベアの搬出側に配置された結合プレート３０の両ストッパー３４は、一対のコンベア要素１０における個々のフレーム１２の間に位置し、各ローラ１４上面よりも突出している。したがってローラコンベア上を搬送される搬送物は、搬出側において両ストッパー３４で受け止められる。なお両コンベア要素１０の間隔を搬送物のサイズに合わせて変更する場合は、一対のコンベア要素１０を結合プレート３０上から持ち上げるだけでローラコンベアが簡単に解体される。そこで二枚の結合プレート３０を別の長さのものと交換することにより、両コンベア要素１０の間隔を変更することができる。またローラコンベアを撤去する場合は、解体されたコンベア要素１０と結合プレート３０とを個別に格納することができる。
【００１６】
図５は搬送距離を延長するときのローラコンベアを分解状態で表した斜視図である。この図面で示す例では、二本継ぎのコンベア要素１０，２０を二列に並べてローラコンベアが構成される。一対のコンベア要素１０に継ぎ足される両コンベア要素２０についても、コンベア要素１０と同じ構造となっている。すなわち、平行なフレーム２２の間に多数のローラ２４が回転自在に組み込まれ、両フレーム２２の両端部における接地側（下側）のフランジ２３には結合孔２６，２７が開けられている。
【００１７】
図５のローラコンベアにおいては、二枚の結合プレート３０に加えて一枚の継ぎ手プレート４０が使用される。この継ぎ手プレート４０は、結合プレート３０と同様に搬送物のサイズによって決まる二列のコンベア要素１０，２０の間隔に対応させた長さを有し、かつ、搬送物の各種サイズに合わせて数種類の長さのものが用意されている。また継ぎ手プレート４０には、コンベア要素１０，２０において互いに突き合わされる端部同士の結合孔１７，２６と対応する位置において左右4個ずつ計8個の結合ピン４２が固定されている。これらの各結合ピン４２の形状および継ぎ手プレート４０に対する固定手段は、結合プレート３０の結合ピン３２と同じである。
【００１８】
図５で示すローラコンベアの設置にあたっては、二枚の結合プレート３０をコンベア要素１０，２０の両端部間の距離に対応する間隔で床上に配置し、かつ、コンベア要素１０，２０の端部同士が突き合わされる箇所に継ぎ手プレート４０を配置する。つぎに、これらの結合プレート３０および継ぎ手プレート４０の上にコンベア要素１０，２０を二列に並べて載せる。
【００１９】
このとき、一対のコンベア要素１０については、個々のフレーム１２における一端部の結合孔１６に一方の結合プレート３０の結合ピン３２を挿入させ、他端部（突き合わせ端部）の結合孔１７に継ぎ手プレート４０の結合ピン４２を挿入させる。また一対のコンベア要素２０については、個々のフレーム２２における一端部の結合孔２７に他方の結合プレート３０の結合ピン３２を挿入させ、他端部（突き合わせ端部）の結合孔２６に継ぎ手プレート４０の結合ピン４２を挿入させる。これにより、コンベア要素１０，２０が長さ方向へ接続された状態で二列平行に保持され、搬送距離を延長したローラコンベアの設置が完了する。なおコンベア要素１０，２０の間隔を変更する場合やローラコンベアを撤去する場合は、前記と同様にコンベア要素１０，２０を持ち上げるだけで簡単に解体することができる。
【００２０】
このように継ぎ手プレート４０は、コンベア要素１０，２０の突き合わせ端部を接続する機能と、二列に並べられたコンベア要素１０，２０を予定どおりの間隔で平行に保持する結合プレート３０としての機能を兼ねている。ただし、二枚の結合プレート３０のみで二列のコンベア要素１０，２０を平行に保持できる場合は、継ぎ手プレート４０の左右を分離した構造にしてもよい。
【００２１】
図６は結合プレート３０の変更例を表した斜視図である。この図面で示す結合プレート３０は一対の結合部材３０Ａと、これらを連結するための一枚の接続部材３０Ｂとに分けられている。そして両結合部材３０Ａには、コンベア要素１０の結合孔１６，１７（あるいはコンベア要素２０の結合孔２７）に挿入される結合ピン３２に加え、それぞれ二個の結合ピン３８が固定されている。これに対し、接続部材３０Ｂの両端部には両結合部材３０Ａの結合ピン３８と対応する位置において結合孔３６がそれぞれ開けられている。
【００２２】
図６で示す結合プレート３０では、接続部材３０Ｂについては搬送物の各種サイズに合わせて数種類の長さのものが用意され、一対の結合部材３０Ａは共用部品としている。接続部材３０Ｂについては結合孔３６が加工されているだけの部品であるので、結合ピン３２を備えた結合プレート３０を複数種類揃えるのと比べてコストを低減できる。なお、図６で示す結合プレート３０の構造は、継ぎ手プレート４０についても同様に適用することができる。
【００２３】
また本実施の形態では、コンベア要素１０（２０）を二列に並べて構成されたローラコンベアについて説明したが、事情によってはコンベア要素１０（２０）を二列以上（例えば三列配置することもある。三列の場合の結合プレート３０（あるいは継ぎ手プレート４０）の長さは、両外側に配置されるコンベア要素の間隔以上の寸法に設定される。
【図面の簡単な説明】
【００２４】
【図１】ローラコンベアを分解状態で表した斜視図
【図２】結合プレートに対する結合ピンの固定構造を表した拡大断面図
【図３】ローラコンベアの設置準備状態を表した平面図
【図４】ローラコンベアの設置完了状態を表した平面図
【図５】搬送距離を延長するときのローラコンベアを分解状態で表した斜視図
【図６】結合プレートの変更例を表した斜視図
【符号の説明】
【００２５】
１０ コンベア要素
１２ フレーム
１６，１７  結合孔
３０ 結合プレート
３２ 結合ピン
【図１】
2007119211.tif 000003
【図２】
2007119211.tif 000004
【図３】
2007119211.tif 000005
【図４】
2007119211.tif 000006
【図５】
2007119211.tif 000007
【図６】
2007119211.tif 000008